(57)【要約】【課題】  夜間等の暗い環境下においてもシートに記載された掲示情報の視認性に優れ、シートの交換も容易に行うことができる掲示具を提供する。【解決手段】  本考案に係る掲示具１は、透明体からなる窓部４が形成された板状の基体２と、掲示情報が記載されたシートＳが入った透光性を有するケース９を基体２の裏面側で窓部４と重なり合う位置に保持するジョイナー５と、ジョイナー５に保持されたケース９を裏面側から照明する面状発光体６とを有する。【選択図】  図１
0003177559.tif 000002
【実用新案登録請求の範囲】
【請求項１】
透明体又は開口からなる窓部が形成された板状の基体と、
掲示情報が記載されたシートが入った透光性を有するケースを前記基体の裏面側で前記窓部と重なり合う位置に保持する保持手段と、
前記保持手段に保持されたケースを裏面側から照明する照明手段とを有することを特徴とする掲示具。
【請求項２】
前記照明手段が、前記保持手段に保持されるケースを挟んで前記窓部に対向するように設けられた面状発光体であることを特徴とする請求項１に記載の掲示具。
【請求項３】
前記保持手段に保持されるケースを囲う枠体が設けられ、
前記照明手段が、前記枠体の内面の少なくとも一部に所定間隔で設けられた複数の発光体からなることを特徴とする請求項１に記載の掲示具。
【請求項４】
前記基体をガラスに取り付けるための取付具を有することを特徴とする請求項１乃至３のいずれか１項に記載の掲示具。
【請求項５】
前記基体を立直状態で支持するための支持具を有することを特徴とする請求項１乃至３のいずれか１項に記載の掲示具。
【考案の詳細な説明】
【技術分野】
【０００１】
本考案は、掲示情報が記載された紙等のシートを店舗のウィンドウや店先等に掲示するための掲示具に関する。
【背景技術】
【０００２】
例えば不動産仲介業者の店舗では、物件情報が記載された紙等のシートが複数並べられた状態で、店舗のウィンドウや店先の立看板等に掲示されている。この掲示は、店舗の前を通る歩行者が不動産を探していることがあるから、そのような歩行者の目に留まるように物件情報を掲示することにより、歩行者を店舗に誘引することを目的として行われている。
【０００３】
上記シートが店舗のウィンドウに掲示される場合には、一般に、そのウィンドウの外側（店外側）から見えるように内側（店内側）に固定され、このような固定に供する掲示具としては、例えば特許文献１に記載のようなものが知られている。
【先行技術文献】
【特許文献】
【０００４】
【特許文献１】実登３１５７８９５号公報
【考案の概要】
【考案が解決しようとする課題】
【０００５】
しかしながら、従来の掲示具では、シートに記載された掲示情報の視認性が周囲の明るさに依存するので、夜になって外が暗くなると掲示情報が見え難いという問題があった。  特に、夜間、店舗が閉店して消灯すると、店内の明かりさえもなくなるので、掲示情報が著しく見づらくなるとともに、このような掲示情報に足を止める歩行者もいなくなり、シートによる夜間の広告効果を期待することが難しかった。
【０００６】
また、特許文献１に記載の掲示具では、シートを交換する際に、店舗のウィンドウ（透明な壁）に対して両面テープ（着座用部）を剥がしたり貼ったりしなければならず、その交換が容易でないという問題があった。
【０００７】
本考案は、上記の事情に鑑みてなされたもので、夜間等の暗い環境下においてもシートに記載された掲示情報の視認性に優れ、シートの交換も容易に行うことができる掲示具を提供することを課題としている。
【課題を解決するための手段】
【０００８】
上記課題を解決するために、請求項１に係る考案は、透明体又は開口からなる窓部が形成された板状の基体と、掲示情報が記載されたシートが入った透光性を有するケースを前記基体の裏面側で前記窓部と重なり合う位置に保持する保持手段と、前記保持手段に保持されたケースを裏面側から照明する照明手段とを有する掲示具を特徴とする。
【０００９】
請求項２に係る考案は、請求項１に記載の掲示具であって、前記照明手段が、前記保持手段に保持されるケースを挟んで前記窓部に対向するように設けられた面状発光体であることを特徴とする。
【００１０】
請求項３に係る考案は、請求項１に記載の掲示具であって、前記保持手段に保持されるケースを囲う枠体が設けられ、前記照明手段が、前記枠体の内面の少なくとも一部に所定間隔で設けられた複数の発光体からなることを特徴とする。
【００１１】
請求項４に係る考案は、請求項１乃至３のいずれか１項に記載の掲示具であって、前記基体をガラスに取り付けるための取付具を有することを特徴とする。
【００１２】
請求項５に係る考案は、請求項１乃至３のいずれか１項に記載の掲示具であって、前記基体を立直状態で支持するための支持具を有することを特徴とする。
【考案の効果】
【００１３】
本考案によれば、掲示情報が記載されたシートが入った透光性を有するケースが基体の裏面側で窓部と重なり合う位置に保持されて、そのケースが裏面側から照明されるので、歩行者等は、窓部を通じて、後方から照明された掲示情報を視認することができ、夜間等の暗い環境下においても掲示情報の視認性を優れたものとすることができる。
【００１４】
また、シートを交換する場合には、旧いシートをケースから出して新しいシートをケースに入れればよいだけであるので、シートの交換を容易に行うことができる。
【図面の簡単な説明】
【００１５】
【図１】考案を実施するための形態に係る吊下式の掲示具を示す説明図である。
【図２】図１の掲示具をガラスに取り付けた状態を示す説明図である。
【図３】考案を実施するための形態に係る吊下式の掲示具の他の例を示す説明図である。
【図４】図３の掲示具をガラスに取り付けた状態を示す説明図である。
【図５】考案を実施するための形態に係る自立式の掲示具を示す説明図である。
【図６】図５の掲示具の内部構造を示す説明図である。
【考案を実施するための形態】
【００１６】
本考案を実施するための形態について、図面を用いて説明する。
【００１７】
図１及び２は、店舗のウィンドウ等における掲示に供する吊下式の掲示具を示す。この掲示具１は、長方形状の透明な板材（例えばアクリル板）からなる基体２を有し、基体２には、シルク印刷により黒色等に着色された着色部３と、着色部３により区画された複数の窓部４とが形成されている。窓部４は、上記板材の無着色の部分であるから透明であり、窓部４により基体２の表面２ａの側から裏面２ｂの側を視認可能となっている。
【００１８】
基体２の裏面２ｂには、窓部４の上縁又は下縁に沿うように着色部３に固着されたアルミニウム製のＨ型のジョイナー５が設けられている。ここでは、窓部４が縦に四つ、横に二つ設けられ、横に並ぶ二つの窓部４に跨るジョイナー５が計五本設けられている。
【００１９】
ジョイナー５の基体２と反対側には、全ての窓部４に対向するように、面状発光体６が固着されている。この面状発光体６としては、例えば、周縁部に配設されたＬＥＤの中央部に向けた発光を導光板等により反射、拡散させて表面６ａが全体的に発光するものや、表面６ａのみならず裏面６ｂも全体的に発光するものを用いることができ、その電源は、ＡＣアダプター７を介してコンセントから供給されてもよいし、配線を廃して充電池により供給されてもよい。面状発光体６の裏面６ｂには、ジョイナー５と同形状のジョイナー８が、ジョイナー５と対応する位置（ジョイナー５と共に面状発光体６を挟み合う位置）に固着されている。
【００２０】
ジョイナー５には、無色透明又は有色透明のケース９が、窓部４と重なり合う位置に挿脱自在に保持される。同様に、ジョイナー８にもケース９が挿脱自在に保持される。このケース９としては、紙等のシートＳを挟み入れることができる市販の樹脂製ケース（クリアホルダーやカードケース等と称されるもの）を用いることができる。
【００２１】
面状発光体６の上部には、ワイヤー１０を介して吸盤１１が設けられている。この吸盤１１が店舗のウィンドウ等のガラスＧに吸着することにより、基体２をガラスＧに取付可能となっている。
【００２２】
図３及び４は、吊下式の掲示具の他の例を示す。この掲示具１２では、基体２に窓部４が縦に三つ、横に二つ設けられ、面状発光体６の裏面側に、上方に突出する板状の治具６ｃが設けられている（６ｂは、この治具６ｃの裏面を指す。）。
【００２３】
また、吸盤１１が基体２と面状発光体６の治具６ｃとを貫通してこれらにユリアナット１３で留められ、ジョイナー５の代わりにアクリル製のスペーサー１４が設けられ、基体２と面状発光体６との間に差し込まれるケース９は、そのスペーサー１４に保持される。
【００２４】
この掲示具１又は掲示具１２によれば、基体２を吸盤１１により店舗のウィンドウ等のガラスＧに取り付け、掲示情報が記載されたシートＳを入れたケース９をジョイナー５又はスペーサー１４に保持させることによって、掲示情報が窓部４（及びガラスＧ）を通じて視認される。そして、もし周囲が暗くなれば、面状発光体６を発光させることにより、シートＳが入ったケース９が面状発光体６により後方から照明されるので、シートＳの掲示情報の視認性を優れたものとすることができる。
【００２５】
また、掲示情報を交換したい場合には、ジョイナー５又はスペーサー１４に保持されたケース９を横方向にスライドさせて引き抜き、シートＳを差し替えた上でケース９を再度基体２と面状発光体６との間に差し入れ、ジョイナー５又はスペーサー１４に保持させればよく、シートの交換が容易である。
【００２６】
掲示具１又は掲示具１２を店舗のウィンドウに吊り下げる際には、吸盤１１をガラスに吸着させるだけで完了するので、大掛かりな施工が不要である。しかも、掲示情報を一般的なプリンターで印刷した普通紙をシートＳとして使用することができるので、掲示具の導入も維持も低コストで行うことができる。
【００２７】
さらに、面状発光体６の裏面６ｂの側にもジョイナー８が設けられているので、ジョイナー８にもケース９を保持させることによって、店外のみならず店内に向けても掲示情報を掲示することができ、面状発光体６の裏面６ｂを発光可能として現に発光させることによって（このとき、掲示具１２では治具６ｃをアクリル等の透明な材質とすればよい。）、店内の掲示情報の視認性も高めることができる。
【００２８】
図５及び６は、店舗の店先等における掲示に供する自立式の掲示具を示す。この掲示具１５は、板状のベース１６と、ベース１６の下面１６ｂに設けられたキャスター１７とからなるスタンド１８を有する。
【００２９】
ベース１６の上面１６ａには、この上面１６ａに立直する一対の柱部材１９ａと、これらの上端を連結する桁部材１９ｂとからなる枠体１９が設けられている。枠体１９の一方の柱部材１９ａには、枠体１９の形状に対応する矩形枠状を呈する一対のフレーム２０がヒンジ結合され、フレーム２０が枠体１９に対して開閉自在となっている。
【００３０】
フレーム２０の枠内には、掲示具１と同様に着色部３と窓部４とが形成されてジョイナー５が固着された基体２が立直状態で取り付けられ、フレーム２０が閉められた状態で、枠体１９がジョイナー５やこれに保持されるケース９を囲うようになっている。また、枠体１９の一対の柱部材１９ａには、枠体１９の内面となる側に、ＬＥＤ等からなる複数の発光体２１が所定間隔で設けられている。ここでは、発光体２１は、一方の基体２のジョイナー５と他方の基体２のジョイナー５との間、又は、一方の基体２のジョイナー５に保持されるケース９と他方の基体２のジョイナー５に保持されるケース９との間に位置し、その電源は、ＡＣアダプターを介してコンセントから供給されてもよいし、配線を廃して充電池により供給されてもよい。
【００３１】
この掲示具１５によれば、掲示情報が記載されたシートＳを入れたケース９をジョイナー５に保持させることによって、掲示情報が窓部４を通じて視認される。そして、もし周囲が暗くなれば、発光体２１を発光させることにより、シートＳが入ったケース９が発光体２１により後方から照明されるので、シートＳの掲示情報の視認性を優れたものとすることができる。
【００３２】
また、掲示情報を交換したい場合には、フレーム２０とともに基体２を開け、ジョイナー５に保持されたケース９を取り外し、シートＳを差し替えた上でケース９を再度ジョイナー５に保持させ、フレーム２０とともに基体２を閉めればよく、シートの交換が容易である。
【００３３】
以上、本考案を実施するための形態について例示したが、本考案の実施形態は上述したものに限られず、本考案の趣旨を逸脱しない範囲で適宜変更等してもよい。
【００３４】
例えば、基体の窓部は透明体ではなく開口により形成してもよく、掲示具１又は掲示具１２のように面状発光体を有する掲示具をスタンドで支持して自立式としたり壁付けとしたりしても、あるいは、掲示具１５のように発光体が設けられた枠体を有する掲示具を吸盤等で吊下式としたり壁付けとしたりしてもかまわない。
【産業上の利用可能性】
【００３５】
本考案は、店舗や集合住宅、学校、オフィス、公共施設等の掲示を必要とする場所において、広く利用することができる。
【符号の説明】
【００３６】
１，１２，１５    掲示具
２                基体
４                窓部
５                ジョイナー（保持手段）
６                面状発光体（照明手段）
９                ケース
１１              吸盤（取付具）
１８              スタンド（支持具）
１９              枠体
２１              発光体（照明手段）
Ｇ                ガラス
Ｓ                シート
【図１】
0003177559.tif 000003
【図２】
0003177559.tif 000004
【図３】
0003177559.tif 000005
【図４】
0003177559.tif 000006
【図５】
0003177559.tif 000007
【図６】
0003177559.tif 000008